(57)【要約】  【課題】  断熱材同士の接着手段を回避して、比較的耐久的な、構造用パネルを用いた木造家屋壁面の断熱装置を提供する。  【解決手段】  パネル体１の、一方の片面１´の周端部に取付け枠２を、他方の片面１´´の側端部に前記取付け枠２に重なり合う支持杆３をそれぞれ取付け、しかも、支持杆３の内面に設けた突条３ａを、シート状の断熱材５の外側面に設けた凹溝５ａに係合して前記断熱材５を前記パネル体１に組付けて構造用パネルＡを構成する。該構造用パネルＡを、軸組材で成る壁面枠６の開口部６ａに、前記取付け枠２を屋内側にして、しかも、前記支持杆３の自由端面３´を前記壁面枠６の屋外側面６´と同面上にして嵌合する。そして、壁面枠６より屋外側に突出する前記断熱材５部と、前記開口部６ａに隣接する他の開口部６ａに装置した、他の前記構成に係る構造用パネルＡの断熱材５部との間にシート状の第二断熱材８を係合して前記自由端面３´と前記屋外側面６´を被装する。【選択図】    図１
2009263889.tif 000002
【特許請求の範囲】
【請求項１】
パネル体の、一方の片面の周端部に取付け枠を、他方の片面の側端部に前記取付け枠に重なり合う支持杆をそれぞれ取付け、しかも、支持杆の内面と、シート状の断熱材の外側面のいずれか一方に設けた凹部を他方に設けた凸部を互いに係合して前記断熱材を前記パネル体に組付けて構造用パネルを構成し、該構造用パネルを、軸組材で成る壁面枠の開口部に、前記取付け枠を屋内側にして、しかも、前記支持杆の自由端面を前記壁面枠の屋外側面と同面上にして嵌合すると共に、壁面枠より屋外側に突出する前記断熱材部と、前記開口部に隣接する他の開口部に装置した、他の前記構成に係る構造用パネルの断熱材部との間に断熱シートを係合して前記自由端面と前記屋外側面を被装した、木造家屋の断熱装置。
【発明の詳細な説明】
【技術分野】
【０００１】
本発明は、構造用パネルを用いた、木造家屋壁面の断熱装置に関するものである。
【背景技術】
【０００２】
パネル体の、一方の片面の周端に、上下枠および左右の縦枠とから成る枠体を、他方の片面にシート状の断熱材をそれぞれ止着して構造用パネルを構成し、該構造用パネルを軸組材で構成する開口部に、前記枠体を屋内側にして嵌合し、前記軸組材より屋外側に突出する前記断熱材と、前記開口部に隣接する他の開口部に装置した他の前記構造用パネルの他の前記断熱材との間には第二断熱材を係合して前記開口部と前記他の開口部間の軸組材の屋外側面を被装した構造のものがある（例えば、特許文献１）。
【０００３】
【特許文献１】特許第２９３９５７８号公報
【発明の開示】
【発明が解決しようとする課題】
【０００４】
前記公報記載の従来例は、構造用パネル側の断熱材と、該断熱材間に係合して介在させる第二断熱材をそれぞれの部分を屋内外方向に重ね合わせて接着して、断熱効果（屋内外間の）を期待し、断熱材間の気密性を確保しようとするものであるが、地震等による振動が作用して構造用パネル（すなわち断熱材）と軸組材の例えば、柱（すなわち、第二断熱材）とが、別の動きをしたとき、断熱材と第二断熱材とが剥離、損傷を受け、断熱乃至気密機能が損なわれることがある。
【０００５】
本発明は、断熱材同士の接着手段を回避して（解体時に材料を分別し易くなる）、比較的耐久性の在る断熱装置を提供することを目的として創案したものである。
【課題を解決するための手段】
【０００６】
パネル体の、一方の片面の周端部に取付け枠を、他方の片面の側端部に前記取付け枠に重なり合う支持杆をそれぞれ取付け、しかも、支持杆の内面と、シート状の断熱材の外側面のいずれか一方に設けた凹部を他方に設けた凸部を互いに係合して前記断熱材を前記パネル体に組付けて構造用パネルを構成し、該構造用パネルを、軸組材で成る壁面枠の開口部に、前記取付け枠を屋内側にして、しかも、前記支持杆の自由端面を前記壁面枠の屋外側面と同面上にして嵌合すると共に、壁面枠より屋外側に突出する前記断熱材部と、前記開口部に隣接する他の開口部に装置した、他の前記構成に係る構造用パネルの断熱材部との間に断熱シートを係合して前記自由端面と前記屋外側面を被装したものである。
【発明の効果】
【０００７】
本発明によれば、構造用パネルを用いた木造家屋の断熱効果を期待できる装置を提供できることは勿論、耐久的で従来にない装置を提供できる。
【実施例】
【０００８】
図面は、本発明に係る木造家屋壁面の断熱装置の一実施例を示し、図１は断面図、図２は分解斜視図、図３は構造用パネルの斜視図である。
【０００９】
図示Ａは、構造用パネルで、構造用パネルは、パネル体（合板）１の一方の片面１´の周端部に上、下枠および左右の縦枠とから成る取付け枠２（図示２Ａはその補強杆）を、他方の片面１´´の側端部前記取付け枠２と見込み方向に重なり合う支持杆３をそれぞれ止着し（図示省略した釘で）、支持杆３の内周面に設けた突条３ａに、外周面に設けた凹溝５ａを係合してシート状の断熱材５を前記パネル体１に重ね合わせるように（見込み方向に）組付けて構成したものである。
【００１０】
なお、突条を断熱材５側に、凹溝を支持杆３側に設けて、本発明を実施しても不都合はなく、要は、断熱材５の屋外側面（実施例では凹溝５ａの内面）に対して重なり合う部分が支持杆３側が備えてあれば良い。
【００１１】
図示６は、木造建物の軸組材で構成する壁面枠で、該壁面枠６で構成する開口部６ａに前記取付け枠２が屋内側に存するように、しかも、該取付け枠２の自由端面（屋内側面）２´と反対側に存する支持杆３の自由端面（屋外側面）３´が前記壁面枠６の屋外側面６´と同面上位置するように嵌合して、前記構造用パネルＡを前記壁面枠６に図示省略した釘で止着し、前記開口部６ａを閉塞してある。
【００１２】
そして、前記壁面枠６より一部が突出する、構造用パネルＡの前記断熱材５と、前記開口部６ａに隣接する他の開口部６ａに同様に装置した、他の構造用パネルＡの断熱材５との間に形成される凹溝７には、前記断熱材５と同素材のシート状の第二断熱材８を係合して接着材で止着して、前記壁面枠６および構造用パネルＡの前記取付け枠２の、前記凹溝７の底面を成して屋外側に露出する屋外側面６´，３´を被装して実施例装置としたものである。
【００１３】
前記壁面枠６を構成する軸組材は、梁と該梁に相対する土台および左右の柱（管柱、通し柱）で壁面枠６を構成する場合等、要は、壁面材によって閉塞する開口部（木造家屋の）を構成するものをいい、また、断熱材は、硬質ウレタンフォームのシート体等保形成有る樹脂体で構成する。
【００１４】
図示９は支持杆３と第二断熱材８との間に介在させた気密材、１０は防風透湿シート、１１は縦銅縁、１２は化粧外壁（サイディングボードやモルタル壁）である。
【００１５】
また、１３は土台、１４は柱、１５は梁で、実施例の壁面枠６は、隣接する一対の柱１４，１４と土台１３および梁１５の各一部とで構成したものである。
【図面の簡単な説明】
【００１６】
【図１】断面図。
【図２】分解斜視図。
【図３】構造用パネルの斜視図。
【符号の説明】
【００１７】
Ａ              構造用パネル
１              パネル体
１´，１´´    片面
２              取付け枠
３              支持杆
３´            自由端面
５              断熱材
６              壁面枠
６´            屋外側面
６ａ            開口部
８              第二断熱材
【図１】
2009263889.tif 000003
【図２】
2009263889.tif 000004
【図３】
2009263889.tif 000005